(57)【特許請求の範囲】
【請求項１】
３以上の奇数個の電池セル（１０）が直列に接続されて構成される組電池（１）の前記電池セルを監視する電池監視装置であって、
キャパシタ（２２２）に対して前記奇数個の電池セル（１０）の電圧を極性を反転させて順次印加するキャパシタ回路（２２）と、
前記キャパシタ（２２２）に印加された前記奇数個の電池セル（１０）の電圧を個別に検出する電圧検出回路（２３）と、
前記キャパシタ回路（２２）の作動を制御して、前記電圧検出回路（２３）にて前記奇数個の電池セル（１０）の電圧を一通り検出する電圧検出処理を周期的に実行するキャパシタ回路制御手段（２４ａ）と、
前記電圧検出処理にて検出した前記奇数個の電池セル（１０）における電圧の極性に基づいて、前記奇数個の電池セル（１０）と前記キャパシタ回路（２２）との間の複数の入力ラインに断線が生じているか否かを一通り判定する断線判定処理を実行する断線判定手段（２４ｂ）と、
前記奇数個の電池セル（１０）における電圧を前記キャパシタ（２２２）に印加する印加順番を入れ替える印加順番入替手段（２４ｃ）と、を備え、
前記印加順番入替手段（２４ｃ）は、前記断線判定手段（２４ｂ）にて前記断線判定処理を実行する際には、前回前記断線判定処理を実行した際に、一番目に前記キャパシタ（２２２）に印加された前記電池セルの電圧の印加順番と、一番目以降の奇数番目に前記キャパシタ（２２２）に印加された前記電池セルの電圧の印加順番とを入れ替えることを特徴とする電池監視装置。
【請求項２】
前記印加順番入替手段（２４ｃ）は、前記断線判定手段（２４ｂ）にて前記断線判定処理を実行する際に、前回前記断線判定処理を実行した際に一番目に前記キャパシタ（２２２）に印加された前記電池セルの電圧の印加順番と、一番目以降の奇数番目に前記キャパシタ（２２２）に印加された前記電池セルのうち、前回までの前記断線判定処理にて一番目に前記キャパシタ（２２２）に印加された回数が最も少ない前記電池セルの電圧の印加順番とを入れ替えることを特徴とする請求項１に記載の電池監視装置。
【請求項３】
前記断線判定手段（２４ｂ）は、前記キャパシタ回路制御手段（２４ａ）にて前記電圧検出処理が所定回数実行された際に、前記断線判定処理を実行することを特徴とする請求項１または２に記載の電池監視装置。
【請求項４】
前記キャパシタ回路（２２）は、前記キャパシタ（２２２）、前記キャパシタ（２２２）に対して前記奇数個の電池セル（１０）の電圧を極性を反転させて順次印加するための入力側接続切替手段（２２１）、および前記キャパシタ（２２２）に印加された電圧を前記電圧検出回路（２３）に出力するための出力側接続切替手段（２２３）を有することを特徴とする請求項１ないし３のいずれか１つに記載の電池監視装置。
【発明の詳細な説明】
【技術分野】
【０００１】
本発明は、複数の電池セルが直列に接続されて構成される組電池の各電池セルを監視する電池監視装置に関する。
【背景技術】
【０００２】
従来、組電池の各電池セルを監視する電池監視装置として、キャパシタに対して各電池セルの電圧を順次印加し、キャパシタに印加した電圧を電池セルの電圧として検出する方式（フライングキャパシタ方式）により、各電池セルの電圧を監視するものがある（例えば、特許文献１参照）。
【０００３】
この特許文献１に記載の装置では、各電池セルの電圧を極性を反転させてキャパシタに順次印加した際に、キャパシタに印加された電圧が極性反転しているか否かを判定することで、電池セルとキャパシタとの間の入力ラインの断線判定を行うようにしている。
【先行技術文献】
【特許文献】
【０００４】
【特許文献１】特開２００３−８４０１５号公報
【発明の概要】
【発明が解決しようとする課題】
【０００５】
しかしながら、各電池セルの電圧を極性を反転させてキャパシタに順次印加し、キャパシタに印加された電圧の極性反転によって断線判定を行ったとしても、組電池を構成する電池セルの個数が奇数個であると、入力ラインの断線を適切に判定できないことがある。
【０００６】
例えば、各電池セルの電圧を一通り検出する電圧検出処理を周期的に行う場合、前回の電圧検出処理にて最後（奇数番目）にキャパシタに印加される電池セルの電圧の極性と、次回の電圧検出処理にて一番目（奇数番目）にキャパシタに印加される電池セルの電圧の極性とが同極性となる。
【０００７】
このため、キャパシタに印加された電圧の極性反転によって断線判定を行ったとしても、一番目にキャパシタに電圧が印加される電池セルの入力ラインの断線判定を行うことができない。
【０００８】
本発明は上記点に鑑みて、奇数個数の電池セルが直列に接続されて構成される組電池に適用され、各電池セルの入力ラインの断線を適切に判定可能な電池監視装置を提供することを目的とする。
【課題を解決するための手段】
【０００９】
上記目的を達成するため、請求項１に記載の発明は、３以上の奇数個の電池セル（１０）が直列に接続されて構成される組電池（１）の電池セルを監視する電池監視装置を対象としている。電池監視装置は、キャパシタ（２２２）に対して奇数個の電池セル（１０）の電圧を極性を反転させて順次印加するキャパシタ回路（２２）と、キャパシタ（２２２）に印加された奇数個の電池セル（１０）の電圧を個別に検出する電圧検出回路（２３）と、キャパシタ回路（２２）の作動を制御して、電圧検出回路（２３）にて奇数個の電池セル（１０）の電圧を一通り検出する電圧検出処理を周期的に実行するキャパシタ回路制御手段（２４ａ）と、電圧検出処理にて検出した奇数個の電池セル（１０）における電圧の極性に基づいて、奇数個の電池セル（１０）とキャパシタ回路（２２）との間の複数の入力ラインに断線が生じているか否かを一通り判定する断線判定処理を実行する断線判定手段（２４ｂ）と、奇数個の電池セル（１０）における電圧をキャパシタ（２２２）に印加する印加順番を入れ替える印加順番入替手段（２４ｃ）と、を備える。そして、印加順番入替手段（２４ｃ）は、断線判定手段（２４ｂ）にて断線判定処理を実行する際に、前回断線判定処理を実行した際に一番目にキャパシタ（２２２）に印加された電池セルの電圧の印加順番と、一番目以降の奇数番目にキャパシタ（２２２）に印加された電池セルの電圧の印加順番とを入れ替えることを特徴とする。
【００１０】
これによれば、断線判定処理を実行する際には、一番目にキャパシタ（２２２）に印加する電池セルの電圧の印加順番を順次入れ替えるので、奇数個数の電池セルが直列に接続されて構成される組電池においても、各電池セル（１０）の入力ラインの断線を適切に検出することができる。
【００１１】
ここで、一番目にキャパシタ（２２２）に電圧が印加される電池セルは、断線判定処理を実行する際に、自己の電圧をキャパシタ（２２２）に印加することになる。一方、一番目以降の奇数番目にキャパシタ（２２２）に電圧が印加される電池セルは、断線判定処理を実行する際に、直前にキャパシタ（２２２）に印加された電圧を放電し、さらに、自己の電圧をキャパシタ（２２２）に印加することになる。このため、奇数番目にキャパシタ（２２２）に電圧が印加される各電池セル（１０）間に電圧のバラツキが生じてしまう。
【００１２】
そこで、請求項２に記載の発明では、請求項１に記載の電池監視装置において、印加順番入替手段（２４ｃ）は、断線判定手段（２４ｂ）にて断線判定処理を実行する際に、前回断線判定処理を実行した際に一番目にキャパシタ（２２２）に印加された電池セルの電圧の印加順番と、一番目以降の奇数番目にキャパシタ（２２２）に印加された電池セルのうち、前回までの断線判定処理にて一番目にキャパシタ（２２２）に印加された回数が最も少ない電池セルの電圧の印加順番とを入れ替えることを特徴とする。
【００１３】
これによれば、電圧検出処理にて、一番目にキャパシタ（２２２）に電圧が印加される回数を均等化できるので、奇数番目にキャパシタ（２２２）に電圧が印加される各電池セル（１０）間の電圧のバラツキを抑制することができる。
【００１４】
請求項３に記載の発明のように、請求項１または２に記載の電池監視装置において、キャパシタ回路制御手段（２４ａ）にて電圧検出処理が所定回数実行された際に、断線判定手段（２４ｂ）にて断線判定処理を実行するようにしてもよい。
【００１５】
具体的には、請求項４に記載の発明のように、請求項１ないし３のいずれか１つに記載の電池監視装置において、キャパシタ回路（２２）を、キャパシタ（２２２）、キャパシタ（２２２）に対して奇数個の電池セル（１０）の電圧を極性を反転させて順次印加するための入力側接続切替手段（２２１）、およびキャパシタ（２２２）に印加された電圧を電圧検出回路（２３）に出力するための出力側接続切替手段（２２３）で構成するようにしてもよい。
【００１６】
なお、この欄および特許請求の範囲で記載した各手段の括弧内の符号は、後述する実施形態に記載の具体的手段との対応関係の一例を示すものである。
【図面の簡単な説明】
【００１７】
【図１】第１実施形態に係る電池監視装置を含む電池制御システムの全体構成図である。
【図２】奇数番目（一番目）にキャパシタに電圧を印加する際のキャパシタ回路の作動を説明するための説明図である。
【図３】偶数番目（二番目）にキャパシタに電圧を印加する際のキャパシタ回路の作動を説明するための説明図である。
【図４】マイコンで行う電圧検出処理を説明するためのブロック図である。
【図５】第１実施形態に係るキャパシタへの電圧の印加順番の入れ替えを説明するための説明図である。
【図６】第２実施形態に係るキャパシタへの電圧の印加順番の入れ替えを説明するための説明図である。
【発明を実施するための形態】
【００１８】
以下、本発明の実施形態について図に基づいて説明する。なお、以下の各実施形態相互において、互いに同一もしくは均等である部分には、図中、同一符号を付してある。
【００１９】
（第１実施形態）
図１の全体構成図に示すように、本実施形態では、車載高圧バッテリを構成する組電池１を備える電池制御システムに、本発明の電池監視装置２を適用している。
【００２０】
組電池１は、車両走行用の電動機等の電気機器に接続され、当該電気機器に電力を供給するものである。この組電池１は、３以上の奇数個の電池セル１０を直列に接続して構成された直列接続体である。各電池セルは、充放電の最小単位を構成し、例えば、充放電可能なリチウムイオン電池や鉛蓄電池等が採用される。なお、説明の便宜のため、本実施形態では、５個の電池セルＶ１〜Ｖ５を直接接続した組電池１を用いた例について説明する。
【００２１】
このように構成される組電池１は、各電池セルＶ１〜Ｖ５の電極端子（正極端子および負極端子）に接続された複数の入力ラインＶＢＢ１〜ＶＢＢ６を介して電池監視装置２が接続されている。
【００２２】
電池監視装置２は、各電池セルＶ１〜Ｖ５の電圧を監視する機能、および各入力ラインＶＢＢ１〜ＶＢＢ６に断線が生じているか否かを監視する機能を有する装置である。
【００２３】
本実施形態の電池監視装置２は、主にフィルタ回路２１、キャパシタ回路２２、電圧検出回路２３、マイクロコンピュータ２４（以下、マイコン２４と略称する。）を備えている。
【００２４】
フィルタ回路２１は、各入力ラインＶＢＢ１〜ＶＢＢ６に流れる電流を制限する電流制限手段として機能する回路である。フィルタ回路２１は、各入力ラインＶＢＢ１〜ＶＢＢ６に配置された抵抗Ｒで構成されている。
【００２５】
キャパシタ回路２２は、入力側接続切替手段を構成する入力側接続切替部２２１、所定の静電容量を有するキャパシタ２２２、出力側接続切替手段を構成する出力側接続切替部２２３を有して構成されている。
【００２６】
入力側接続切替部２２１は、各電池セルＶ１〜Ｖ５の電圧を、フィルタ回路２１を介して、キャパシタ２２２に順次印加（充電）するためのスイッチング回路である。なお、本実施形態の入力側サンプリングスイッチＳＳＲ１〜ＳＳＲ６は、半導体スイッチで構成され、後述するマイコン２４からの制御信号に応じてオンオフが切替制御される。
【００２７】
本実施形態の入力側接続切替部２２１は、各入力ラインＶＢＢ１〜ＶＢＢ６に配置された複数の入力側サンプリングスイッチＳＳＲ１〜ＳＳＲ６で構成されている。これら入力側サンプリングスイッチＳＳＲ１〜ＳＳＲ６は、一端側がフィルタ回路２１の抵抗Ｒに接続され、他端側がキャパシタ２２２に接続されている。
【００２８】
具体的には、各入力側サンプリングスイッチＳＳＲ１〜ＳＳＲ６のうち、各電池セルＶ１〜Ｖ５の電極端子を電位の高いものから順に数えたときに、奇数［２ｍ＋１］番目（ｍ＝０、又は正の整数）の電極端子に接続される入力側サンプリングスイッチＳＳＲ１、ＳＳＲ３、ＳＳＲ５が、キャパシタ２２２の一端Ａ１側に接続されている。
【００２９】
また、各入力側サンプリングスイッチＳＳＲ１〜ＳＳＲ６のうち、各電池セルＶ１〜Ｖ５の電極端子を電位の高いものから順に数えたときに、偶数［２ｍ］番目（ｍ＝正の整数）の電極端子に接続される入力側サンプリングスイッチＳＳＲ２、ＳＳＲ４、ＳＳＲ６が、キャパシタ２２２の他端Ａ２側に接続されている。
【００３０】
出力側接続切替部２２３は、キャパシタ２２２に印加された電池セル１０の電圧を電圧検出回路２３に印加するためのスイッチング回路である。本実施形態の出力側接続切替部２２３は、一対の出力側サンプリングスイッチＳＳＲ１１、ＳＳＲ１２で構成されている。なお、本実施形態の出力側サンプリングスイッチＳＳＲ１１、ＳＳＲ１２は、半導体スイッチで構成され、後述するマイコン２４からの制御信号に応じてオンオフが切替制御される。
【００３１】
具体的には、第１出力側サンプリングスイッチＳＳＲ１１が、キャパシタ２２２の一端Ａ１および電圧検出回路２３の第１入力端子Ｂ１に接続され、第２出力側サンプリングスイッチＳＳＲ１２が、キャパシタ２２２の他端Ａ２および電圧検出回路２３の第２入力端子Ｂ２に接続されている。
【００３２】
ここで、本実施形態では、キャパシタ回路２２の入力側接続切替部２２１によって、電池セルＶ１、Ｖ３、Ｖ５の電圧をキャパシタ２２２に印加する場合と、電池セルＶ２、Ｖ４の電圧をキャパシタ２２２に印加する場合とで、キャパシタ２２２に印加される電圧の極性が反転する。
【００３３】
具体的には、電池セルＶ１、Ｖ３、Ｖ５の電圧をキャパシタ２２２に印加する場合、キャパシタ２２２の一端Ａ１側が正極性（＋）となり、他端Ａ２側が負極性（−）となる。また、電池セルＶ２、Ｖ４の電圧をキャパシタ２２２に印加する場合、キャパシタ２２２の一端Ａ１側が負極性（−）となり、他端Ａ２側が正極性（＋）となる。
【００３４】
例えば、入力側サンプリングスイッチＳＳＲ１、ＳＳＲ２がオンすると、図２に示す矢印方向に、電池セルＶ１の電圧がキャパシタ２２２に印加される。この場合、キャパシタ２２２の一端Ａ１側が正極性（＋）となり、他端Ａ２側が負極性（−）となる。
【００３５】
また、入力側サンプリングスイッチＳＳＲ２、ＳＳＲ３をオンすると、図３に示す矢印方向に、電池セルＶ２の電圧がキャパシタ２２２に印加される。この場合、キャパシタ２２２の一端Ａ１側が負極性（−）となり、他端Ａ２側が正極性（＋）となる。
【００３６】
電圧検出回路２３は、キャパシタ２２２に印加された電圧を電池セルＶ１〜Ｖ５の電圧として個別に検出するもので、差動増幅回路２３１、ＡＤ変換器２３２を有して構成されている。
【００３７】
差動増幅回路２３１は、キャパシタ２２２の両端（上述の第１、第２入力端子Ｂ１、Ｂ２間）の電位差を所定の増幅率（本実施形態では０．５）で増幅してＡＤ変換器２３２に出力するものである。
【００３８】
ＡＤ変換器２３２は、差動増幅回路２３１から出力された電圧信号（アナログ信号）を読み込み、読み込んだ電圧信号をデジタル信号に変換してマイコン２４側に出力するものである。
【００３９】
マイコン２４は、ＣＰＵ、ＲＯＭ、ＥＥＰＲＯＭ、ＲＡＭ等からなるマイクロコンピュータであって、ＲＯＭ等の記憶手段２４ｄに記憶されたプログラムに従って、電圧検出処理、断線判定処理といった各種処理を実行する制御手段である。
【００４０】
本実施形態のマイコン２４は、キャパシタ回路２２の作動を制御して、電圧検出回路２３にて各電池セルＶ１〜Ｖ５の電圧を一通り検出する電圧検出処理を周期的に実行するキャパシタ回路制御手段２４ａとしての機能を果たす。
【００４１】
本実施形態のマイコン２４は、一回の電圧検出処理において、キャパシタ２２２に対して各電池セルＶ１〜Ｖ５の電圧を極性反転させて順次印加するようにキャパシタ回路２２の作動を制御する。
【００４２】
具体的には、マイコン２４では、一回の電圧検出処理において、電池セルＶ１、Ｖ３、Ｖ５の電圧を奇数番目にキャパシタ２２２に印加し、電池セルＶ２、Ｖ４の電圧を偶数番目にキャパシタ２２２に印加するようにキャパシタ回路２２の作動を制御する。
【００４３】
また、本実施形態のマイコン２４は、電圧検出処理にて検出した各電池セルＶ１〜Ｖ５の電圧の極性に基づいて、各電池セルＶ１〜Ｖ５とキャパシタ回路２２との間の複数の入力ラインＶＢＢ１〜ＶＢＢ６に断線が生じているか否かを一通り判定する断線判定処理を実行する断線判定手段２４ｂとしての機能を果たす。
【００４４】
さらに、本実施形態のマイコン２４は、キャパシタ回路２２の入力側接続切替部２２１の作動を制御して、各電池セルＶ１〜Ｖ５におけるキャパシタ２２２に電圧を印加する印加順番を入れ替える印加順番入替手段２４ｃとしての機能を果たす。
【００４５】
具体的には、マイコン２４では、各電池セルＶ１〜Ｖ５におけるキャパシタ２２２に電圧を印加する印加順番を規定したデータテーブルを予め記憶手段２４ｄに複数記憶し、参照するデータテーブルを入れ替えることで、キャパシタ２２２への印加順番を入れ替える。
【００４６】
次に、本実施形態の電池監視装置２のマイコン２４が実行する電圧検出処理、および断線判定処理について説明する。
【００４７】
まず、マイコン２４にて実行する電圧検出処理の概要について説明する。マイコン２４は、各電池セルＶ１〜Ｖ５の電極端子に接続される入力側サンプリングスイッチＳＳＲ１〜ＳＳＲ６を順次オンする。具体的には、マイコン２４は、記憶手段２４ｄに記憶されたデータテーブルを参照して、電池セルＶ１、Ｖ３、Ｖ５の電圧を奇数番目にキャパシタ２２２に印加すると共に、電池セルＶ２、Ｖ４の電圧を偶数番目にキャパシタ２２２に印加する。
【００４８】
そして、入力側サンプリングスイッチＳＳＲ１〜ＳＳＲ６のオンによって、キャパシタ２２２に各電池セルＶ１〜Ｖ５の電圧が順次印加される度に、オンした入力側サンプリングスイッチＳＳＲ１〜ＳＳＲ６をオフし、各出力側サンプリングスイッチＳＳＲ１１、ＳＳＲ１２を所定時間オンする。これにより、キャパシタ２２２に印加された電圧が、電圧検出回路２３の差動増幅回路２３１にて増幅され、ＡＤ変換器２３２にてデジタル信号に変換されてマイコン２４に出力される。
【００４９】
マイコン２４では、ＡＤ変換器２３２から出力されたデジタル信号に基づいて、電圧検出対象となる電池セルＶ１〜Ｖ５の電圧を監視することで、電池セルＶ１〜Ｖ５の過充放電や劣化等の異常の有無を診断する。
【００５０】
ここで、本実施形態では、一回の電圧検出処理における奇数［２ｍ＋１］番目（ｍ＝０、又は正の整数）と偶数［２ｍ］番目（ｍ＝正の整数）とでキャパシタ２２２に印加される電圧の極性が反転する。このため、本実施形態のマイコン２４では、一回の電圧検出処理における奇数番目に検出する電圧と、偶数番目に検出する電圧とを同極性に変換する処理を行っている。
【００５１】
例えば、奇数番目に検出する電圧が正電圧である場合、マイコン２４では、図４に示すように、奇数番目の処理にて電圧検出回路２３の出力値の極性を反転させず、偶数番目の処理にて電圧検出回路２３の出力値の極性を反転させるようにしている。
【００５２】
このように、マイコン２４では、キャパシタ２２２に印加された電圧の極性が順次反転したとしても、同極性の電圧に変換して各電池セルＶ１〜Ｖ５の電圧を検出するようにしている。
【００５３】
次に、マイコン２４にて実行する断線判定処理について説明する。本実施形態のマイコン２４は、前述の電圧検出処理を実行する度に断線判定処理を実行する。
【００５４】
本実施形態の断線判定処理の基本原理について説明する。前述のように、本実施形態のマイコン２４では、電圧検出処理における奇数番目に検出する電圧と、偶数番目に検出する電圧とを同極性に変換する処理を行うようにしている。このため、電圧検出処理にて奇数番目に検出する電圧を正電圧とすると、各入力ラインＶＢＢ１〜ＶＢＢ６に断線が生じていなければ、マイコン２４では、各電池セルＶ１〜Ｖ５の電圧が正電圧として検出される。
【００５５】
これに反して、マイコン２４にて、各電池セルＶ１〜Ｖ５のいずれかの電圧が負電圧として検出された場合、負電圧を検出した電池セルに接続された入力ラインが断線し、当該電池セルの電圧がキャパシタ２２２に印加されず、前回キャパシタ２２２に印加された残存電圧を負電圧として検出していると考えられる。
【００５６】
このため、本実施形態の断線判定処理は、電圧検出処理にて検出した各電池セルＶ１〜Ｖ５の電圧が負電圧であるか否かを判定し、負電圧であると判定された場合に断線ありとし、負電圧でないと判定された場合に断線なしとする。
【００５７】
ところで、本実施形態の如く、奇数個の電池セル１０で構成される組電池に対して、電圧検出処理を実行する場合、前回の電圧検出処理にて最後（奇数番目）にキャパシタ２２２に印加される電池セルの電圧の極性と、次回の電圧検出処理にて一番目（奇数番目）にキャパシタ２２２に印加される電池セルの電圧の極性とが同極性となる。
【００５８】
この場合、一回の断線判定処理において、一番目にキャパシタ２２２に電圧が印加される電池セルの入力ラインは、断線判定を適切に行うことができない。例えば、一回の断線判定処理において、常に電池セルＶ１の電圧を一番目にキャパシタ２２２に印加する場合、電池セルＶ１の入力ラインＶＢＢ１、ＶＢＢ２の断線判定を適切に行うことができない。
【００５９】
そこで、本実施形態では、マイコン２４にて断線判定処理を実行する際には、前回の断線判定処理にて一番目にキャパシタ２２２に印加された電池セルの電圧の印加順番と、前回の断線判定処理にて一番目以降の奇数番目にキャパシタ２２２に印加された電池セルの電圧の印加順番を入れ替えるようにしている。
【００６０】
例えば、図５に示すように、前回（Ｎ回目：Ｎ＝１、２、３…）の電圧検出処理にて、電池セルＶ１→Ｖ２→Ｖ３→Ｖ４→Ｖ５といった順に電圧を検出し、検出された電圧を用いて断線判定を実行する場合、次回（Ｎ＋１回目）の電圧検出処理では、電池セルＶ１と電池セルＶ３とのキャパシタ２２２への電圧の印加順番を入れ替える。つまり、次回（Ｎ＋１回目）の電圧検出処理では、電池セルＶ３→Ｖ２→Ｖ１→Ｖ４→Ｖ５といった順に電圧を検出し、検出された電圧を用いて断線判定を実行する。なお、次回（Ｎ＋１回目）の電圧検出処理にて、電池セルＶ１と電池セルＶ５とのキャパシタ２２２への電圧の印加順番を入れ替えるようにしてもよい。
【００６１】
これによれば、前回の断線判定処理にて、電池セルＶ１の入力ラインＶＢＢ１、ＶＢＢ２の断線判定を適切に行うことができなかった場合でも、次回の断線判定処理で、電池セルＶ１の入力ラインＶＢＢ１、ＶＢＢ２の断線判定を適切に行うことができる。
【００６２】
以上説明した本実施形態によれば、断線判定処理を実行する際には、一番目にキャパシタ２２２に印加する電池セルの電圧の印加順番を順次入れ替えるので、奇数個数の電池セルＶ１〜Ｖ５が直列に接続されて構成される組電池１においても、各電池セル１０の入力ラインＶＢＢ１〜ＶＢＢ６の断線を適切に検出することができる。
【００６３】
従って、奇数個数の電池セルＶ１〜Ｖ５が直列に接続されて構成される組電池１に適用される場合であっても、各電池セルＶ１〜Ｖ５の入力ラインＶＢＢ１〜ＶＢＢ６の断線を適切に検出することが可能となる。
【００６４】
（第２実施形態）
本実施形態では、電圧検出処理において、マイコン２４にて断線判定処理を実行する際に、前回の断線判定処理にて一番目にキャパシタ２２２に印加された電池セルの電圧の印加順番と、前回までの断線判定処理にて奇数番目にキャパシタ２２２に電圧が印加された回数の最も少ない電池セルの電圧の印加順番を入れ替えるようにしている。
【００６５】
例えば、図６に示すように、前回（Ｎ回目）の電圧検出処理にて、電池セルＶ１→Ｖ２→Ｖ３→Ｖ４→Ｖ５といった順に電圧を検出し、検出された電圧を用いて断線判定を実行する場合、次回（Ｎ＋１回目）の電圧検出処理では、電池セルＶ１と電池セルＶ３とのキャパシタ２２２への電圧の印加順番を入れ替える。つまり、次回（Ｎ＋１回目）の電圧検出処理では、電池セルＶ３→Ｖ２→Ｖ１→Ｖ４→Ｖ５といった順に電圧を検出し、検出された電圧を用いて断線判定を実行する。
【００６６】
さらに、次々回（Ｎ＋２）の電圧検出処理では、電池セルＶ３と電池セルＶ５とのキャパシタ２２２への電圧の印加順番を入れ替える。つまり、次々回（Ｎ＋２回目）の電圧検出処理では、電池セルＶ５→Ｖ２→Ｖ１→Ｖ４→Ｖ３といった順に検出された電圧を用いて断線判定を実行する。
【００６７】
これによれば、第１実施形態と同様に、奇数個数の電池セルＶ１〜Ｖ５が直列に接続されて構成される組電池１に適用される場合であっても、各電池セルＶ１〜Ｖ５の入力ラインＶＢＢ１〜ＶＢＢ６の断線を適切に検出することが可能となる。
【００６８】
これに加えて、電圧検出処理において、一番目にキャパシタ２２２に電圧が印加される回数を均等化することができるので、奇数番目にキャパシタ２２２に電圧が印加される各電池セルＶ１、Ｖ３、Ｖ５間の電圧のバラツキを抑制することができる。
【００６９】
（他の実施形態）
以上、本発明の実施形態について説明したが、本発明はこれに限定されるものではなく、例えば、以下のように種々変形可能である。
【００７０】
（１）上述の各実施形態では、マイコン２４が電圧検出処理を実行する度に断線判定処理を実行する例について説明したが、これに限らず、例えば、マイコン２４が電圧検出処理を複数回実行した際に断線判定処理を実行するようにしてもよい。
【００７１】
（２）上述の各実施形態では、電圧検出処理を実行する際に参照するデータテーブルを入れ替えることで、キャパシタ２２２への印加順番を入れ替える例について説明したが、これに限定されない。例えば、電圧検出処理を実行する度に、前回の印加順番に応じて、マイコン２４がキャパシタ２２２への印加順番を決定するようにしてもよい。
【００７２】
（３）上述の各実施形態では、具体例として５個の電池セル１０を直列に接続して構成される組電池１に電池監視装置２を適用する例について説明したが、電池監視装置２は、３以上の奇数個の電池セル１０で構成される組電池１であれば適用可能である。
【００７３】
（４）上述の各実施形態では、差動増幅回路２３１およびＡＤ変換器２３２にて電圧検出回路２３を構成する例について説明したが、これに限定されず、マイコン２４を電圧検出回路２３として機能させるようにしてもよい。例えば、マイコン２４とキャパシタ回路２２とを直接接続し、マイコン２４の制御処理にて各電池モジュールＶ１〜Ｖ５の電圧を検出する構成とすればよい。
【００７４】
（５）上述の各実施形態では、電池監視装置２を車載高圧バッテリに適用する例について説明したが、車載高圧バッテリに限らず、他のバッテリに適用してもよい。
【符号の説明】
【００７５】
１          組電池
２２        キャパシタ回路
２２２      キャパシタ
２３        電圧検出回路
２４ａ      キャパシタ回路制御手段
２４ｂ      断線判定手段
２４ｃ      印加順番入替手段
Ｖ１〜Ｖ５  電池セル
【図１】
0005768693.tif 000002
【図２】
0005768693.tif 000003
【図３】
0005768693.tif 000004
【図４】
0005768693.tif 000005
【図５】
0005768693.tif 000006
【図６】
0005768693.tif 000007